(57)【要約】【課題】保冷マットに収納される保冷パックが、蓄冷剤に偏りがなく、使用感が良好な保冷マットの提供を目的とする。【解決手段】表地１３と裏地１５からなるマット１１に形成したポケット１７に保冷パック３１を収納した保冷マット１０において、保冷パック３１を樹脂フィルムの袋３３に蓄冷剤３５が充填されたものとすると共に、蓄冷剤３５を、ゲル状のカルボキシメチルセルロースを含むもので構成し、保冷マット１０を布団や枕等に載置してルームエアコンで保冷パック３１の蓄冷剤３５を冷却した後に使用することにより、あるいは予め保冷パック３１を冷蔵庫で冷却した後に使用することにより保冷パック３１による冷感を体感できるようにした。【選択図】図１
2010268875.tif 000002
【特許請求の範囲】
【請求項１】
ポケットが形成されたマットと、前記ポケットに収納された保冷パックとよりなる保冷マットにおいて、
前記保冷パックは、樹脂フィルムの袋に蓄冷剤が充填されたものからなり、
前記蓄冷剤がカルボキシメチルセルロースを含むゲル状のものからなることを特徴とする保冷マット。
【請求項２】
前記蓄冷剤の凍結温度が−１０℃〜０℃であることを特徴とする請求項１の保冷マット。
【請求項３】
前記マットの表地が綿平織りからなり、裏地がダブルラッセルからなることを特徴とする請求項１又は２に記載の保冷マット。
【発明の詳細な説明】
【技術分野】
【０００１】
本発明は、保冷パックが収納された保冷マットに関し、特には枕や布団等の表面に載置される保冷マットに関する。
【背景技術】
【０００２】
従来、布等からなるシート材に袋を設けて前記袋に保冷パックを収納した冷感マットが提案されている。保冷パックは冷媒が封入されたものからなり、予め冷蔵庫や冷凍庫に入れて冷却して用いられる。保冷パックに収納される冷媒は、硫酸ナトリウムの水和物や塩素酸リチウムの水和物などと無機粒子との混合物が用いられる。
【０００３】
また、枕カバーに多数の袋を形成し、その袋に冷却パックを収納した冷却枕が提案されている。冷却パックは蓄冷剤が収納され、予め冷蔵庫や冷凍庫に入れて冷却して用いられる。
【０００４】
また、保冷パックや冷却パック内に収納される冷媒や蓄冷剤を凍った際に硬くならないものにして、使用時のゴツゴツ感を減少させることが提案されている。しかし、従来の硬くならない冷媒や蓄冷剤は、流動性があるため、自重によって、あるいは保冷パックや冷却パックの使用時に体重等の荷重が加わることによって、保冷パックや冷却パック内の冷媒や蓄冷剤に偏りが発生する。蓄冷剤の偏りが発生した場合、保冷パックや冷却パックの一部で蓄冷剤の量が減り、その部分で冷感が得難くなったり底付き感が発生したりして使用感が損なわれるようになる。特に、保冷パックや冷却パックの数を減らして保冷パックや冷却パックの取り扱いを簡略にするには、保冷パックや冷却パックのサイズを大にしなければならず、その場合、保冷パックや冷却パック内における冷媒や保冷剤の偏りが一層生じやすくなる。
【先行技術文献】
【特許文献】
【０００５】
【特許文献１】特開２００５−１４４０３６号公報
【特許文献２】特開２００６−２５９５６号公報
【発明の概要】
【発明が解決しようとする課題】
【０００６】
本発明は前記の点に鑑みなされたものであって、保冷パック内で蓄冷剤の偏りがなく、使用感が良好な保冷マットの提供を目的とする。
【課題を解決するための手段】
【０００７】
請求項１の発明は、ポケットが形成されたマットと、前記ポケットに収納された保冷パックとよりなる保冷マットにおいて、前記保冷パックは、樹脂フィルムの袋に蓄冷剤が充填されたものからなり、前記蓄冷剤がカルボキシメチルセルロースを含むゲル状のものからなることを特徴とする。
【０００８】
請求項２の発明は、請求項１において、前記蓄冷剤の融解温度が−１０℃〜０℃であることを特徴とする。前記蓄冷剤の融解温度とは、凍結された蓄冷剤が融解するときに周囲から熱を奪う（融解潜熱）時の温度をいう。
【０００９】
請求項３の発明は、請求項１または２において、前記マットの表地が綿平織りからなり、裏地がダブルラッセルからなることを特徴とする。
【発明の効果】
【００１０】
請求項１の発明によれば、カルボキシメチルセルロースを含むゲル状の蓄冷剤は、粘度が高く、流動性が無いため、保冷マットを枕や布団等の上に載置して使用した際に、保冷パック内の蓄冷剤が自重や体重によって偏らず、使用感が損なわれることがない。特に保冷パックのサイズを大きくしても、保冷パック内で蓄冷剤の偏りがないため、良好な使用感が得られる。
【００１１】
請求項２の発明によれば、蓄冷剤の融解温度が−１０℃〜０℃であるため、使用時にひんやり感を長く持続させることができる。
【００１２】
請求項３の発明によれば、マットの裏地にダブルラッセルを使用したことによってマットの通気性が良好になり、蓄冷剤を冷蔵庫で冷やした場合でも、使用時に結露が少なく黴が発生するおそれが少なくなる。さらに、保冷マットの使用時に身体とは反対側となるマットの裏側がダブルラッセルとなっているため、ダブルラッセルと身体が触れることがなく、感触に劣る問題もない。
【図面の簡単な説明】
【００１３】
【図１】本発明の実施例に係る保冷マットの表面図である。
【図２】図１に示した保冷マットの裏面図である。
【図３】図１の３Ａ−３Ａ断面図及び３Ｂ−３Ｂ断面図である。
【発明を実施するための形態】
【００１４】
図１から図３に示す保冷マット１０は、マット１１と保冷パック３１とよりなり、布団表面に載置可能なサイズからなる。なお、前記保冷マット１０は、枕の表面に載置可能なサイズとすることにより枕用とすることができる。
【００１５】
前記マット１１は、表地１３と裏地１５を縫製して複数のポケット（袋部）１７を前記表地１３と前記裏地１５間に形成したものである。符号１９は縫合部を示す。前記表地１３は保冷マット１０の使用時に身体側とされ、一方、前記裏地１５は身体とは反対側の布団側あるいは枕側等とされる。前記表地１３及び裏地１５は適宜の材質からなる。特に前記表地１３を綿平織りとすると共に前記裏地１５をダブルラッセルとするのが好ましい。このように前記裏地１５を表地１３よりも目付けを多くして、かつ通気性を高いものとすることにより、空気層を多く持ち、（裏地がより断熱効果を有し）、前記表地１３を綿平織りとすることにより、前記保冷マット１０の使用時における感触が良好となる。また、前記裏地１５の厚みを表地１３よりも厚くして、通気性を高いものとすることにより、黴の発生を抑えることができ、特に、前記裏地１５をダブルラッセルとすることによりマット裏側の通気性が良好となり、前記表地１３と前記裏地１５間のポケット１７に収納された保冷パック３１が冷却されたものであっても、前記保冷パック３１の表面で結露を生じにくく、また結露により黴が発生するおそれもない。
【００１６】
図示の例では、前記ポケット１７は６個形成され、各ポケット１７の一端が保冷パック収納及び取り出し口１８として開口している。さらに、前記保冷パック収納及び取り出し口１８には、前記裏地１５の一部で形成された蓋片１４が設けられ、前記ポケット１７に前記保冷パック３１を収納した後、前記保冷パック３１の後端を前記蓋片１４の内側に差し込むことにより、前記保冷パック３１がポケット１７から出にくくなるように構成されている。
【００１７】
前記保冷パック３１は、樹脂フィルムの袋３３に蓄冷剤３５が充填されたものからなる。前記袋３３は、一層または二層で構成された樹脂フィルムで形成され、蓄冷剤３５が収納された後、ウェルダー加工やヒートシール加工等により蓄冷剤充填口が封止されている。前記袋３３の素材は、ポリ塩化ビニル、エチレン酢酸ビニル、ポリアミド樹脂（ナイロン）、ポリエチレン等、冷却によっても柔軟性の損なわれないものであればよく、適宜選択される。さらに、シリカやアルミニウム等を蒸着した蒸着フィルムは、蓄冷剤中の水分の揮発を防いで蓄冷剤の使用可能期間を長くすることができるため、前記袋３３として好ましい材質である。前記袋３３を構成するフィルムの厚みは５０〜１５０μｍ程度が好ましい。５０μｍよりも薄いと破れる恐れがある。
【００１８】
蓄冷剤３５は、冷却状態においても可撓性を有するゲル状のものからなり、水、アルコール、カルボキシメチルセルロース等を含むものであり、それらが均一に攪拌分散されて前記袋３３に充填されている。なお、前記保冷パック３１は、前記保冷マット１０が布団や枕等に載置された状態でエアコンにより冷却されることにより、あるいは前記保冷マット１０から取り出されて家庭用冷蔵庫に収納されることにより予め冷却されて使用される。前記保冷パック３１を冷蔵庫で冷却する場合、例えば、就寝より１〜３時間前に保冷パック３１を冷蔵庫の冷凍庫に収容し、就寝時に冷蔵庫から取り出して保冷マット１０に収容すればよい。前記蓄冷剤３５の融解温度は、保冷マットの使用時に使用者に与える冷感を良好にするために−１０〜０℃に設定され、前記温度範囲の冷却によっても可撓性を有するように、水、アルコール、カルボキシメチルセルロースの量が決められている。
【００１９】
蓄冷剤３５に含まれる水は融解潜熱が大きいため、大なる冷却効果が得られる。
また、蓄冷剤３５に含まれるアルコールとしては、メチルアルコール、エチルアルコール等のモノアルコール、またはプロピレングリコール、グリセリン等の多価アルコールが挙げられる。前記アルコールは、寒剤としての効果もあるので、前記蓄冷剤の望む融点（融解温度）に合わせて選択されるが、特に、本発明では、前記保冷パック３１を冷却した状態でも蓄冷剤３５が可撓性のある柔らかくすることができる−２０℃以下の凝固点を有する多価アルコールを使用することができる。さらに、前記多価アルコールの中でも、プロピレングリコールは凝固点が−５９℃であって、通常の家庭用冷蔵庫における冷凍庫の冷却温度よりも充分低い凝固点（−５９℃）を有し、しかもカルボキシメチルセルロースとの相溶性も良いため、冷却状態でも可撓性を有する柔らかい蓄冷剤３５を得るのに好適である。前記アルコールの量は、水１００重量部に対して０〜６０重量部の範囲とすることができる。なお、前記蓄冷剤３５はアルコールを含まないものとしてもよい。
【００２０】
前記カルボキシメチルセルロース（ＣＭＣ）は蓄冷剤をゲル状とするものであり、前記保冷マット１０の使用時の触感を良好とする必要があるため、水１００重量部に対して０．５〜１０重量部が好ましく、特に、２〜７重量部が使用時の感触を良好とするため好ましい。カルボキシメチルセルロースが２重量部未満の場合、前記蓄冷剤３５が前記袋３３内で容易に移動する状態となり、保冷パック３１を長手方向に垂直に立てると蓄冷剤３５が偏る（移動する）ようになるため、使用時に自重や使用者の体重等で蓄冷剤３５の偏りを生じるようになる。一方、カルボキシメチルセルロースが７重量部を超える場合、前記蓄冷剤３５が硬くなりすぎ、使用感に劣るようになる。
【００２１】
また、前記蓄冷剤をゼリー状にする架橋剤として、多価金属塩を用いることができる。この多価金属塩としては、２価又は３価のものが用いられ、カリミョウバン，硫酸アルミニウム，酢酸アルミニウム，水酸化アルミニウム，硫酸第一鉄，塩化第一鉄，硫酸亜鉛，塩化バリウム，硝酸クロム，酢酸鉛，塩化第二銅，塩化スズ，硝酸銀等が挙げられる。これらのうち、カリミョウバンを添加することが、前記保冷マット１０の使用時の触感を良好とすることができるため好ましい。カリミョウバンを添加する場合には、カルボキシメチルセルロース（ＣＭＣ）の添加量にもよるが、蓄冷剤の偏りの防止、底付き感の防止のため、カリミョウバンの量は水１００重量部に対して０〜０．６重量部とするのが好ましい。０．６重量部を超えると、カルボキシメチルセルロース（ＣＭＣ）がゲル化状態とならず水を取り込みにくくなり離水する。特に、水１００重量部に対してカルボキシメチルセルロース（ＣＭＣ）を２〜７重量部、カリミョウバンの量を０〜０．６重量部とすれば、蓄冷剤３５に偏りが生じることがなく、底付き感を防止でき、前記保冷マット１０の使用時の触感を良好とすることができる。
【実施例】
【００２２】
前記表地１３及び前記裏地１５を以下に示す実施例１，２の材質とし、前記表地１３の平面サイズを８３０ｍｍ×８６０ｍｍ、前記裏地１５（重ね部、重ね部下布部を含む）の平面サイズを８３０ｍｍ×８６０ｍｍ、前記マット１１の平面サイズを８３０ｍｍ×８６０ｍｍ、前記ポケット１７の平面サイズを２７０ｍｍ×４２０ｍｍ、個数を６個として、図１から図３に示した構成のマット１１を縫製によりそれぞれ形成した。また、材質ポリエチレンフィルム（厚み７０μｍ）とナイロンフィルム（厚み１５μｍ）の積層フィルムから、平面サイズ２６５ｍｍ×４１５ｍｍの前記袋３３を形成し、水１００ｇ、プロピレングリコール３５ｇ、カルボキシメチルセルロース５ｇ、カリミョウバン０．１ｇの割合からなるゲル状の蓄冷剤を７００ｇ、袋３３の蓄冷剤充填口から収納し、ウェルダー加工により蓄冷剤充填口を封印して保冷パック３１を、所要数形成した。なお、同サイズの袋３３に蓄冷剤を８００ｇ収容する場合もある。
【００２３】
・実施例１
表地：２００本ブロード（綿１００％、平織り、糸番手４０／４０、１インチ当たりの糸の本数；縦１３３本／横７２本、目付１２０ｇ／ｍ２、厚み０．６ｍｍ、通気性１２．４ｃｍ３／ｃｍ２／ｓ）
裏地：ダブルラッセル（ポリエステル１００％、目付２１０ｇ／ｍ２、厚み３．０ｍｍ通気性５５９ｃｍ３／ｃｍ２／ｓ）
・実施例２
表地：２００本ブロード（綿１００％、平織り、糸番手４０／４０、１インチ当たりの糸の本数：縦１３３本／横７２本、目付１２０ｇ／ｍ２、厚み０．６ｍｍ、通気性１２．４ｃｍ３／ｃｍ２／ｓ）
裏地：ポリエステル６５％、綿３５％の混合生地（ツイル生地（綾織り）、糸番手２０／２０、１インチ当たりの糸の本数：縦１０８本／横５８本、目付２５０ｇ／ｍ２、厚み０．８ｍｍ、通気性２３．４ｃｍ３／ｃｍ２／ｓ）
なお、厚みの測定は、ダイヤルゲージ（Ｍｉｔｕｔｏｙｏ社製）、ｔｙｐｅ  ＩＤＣ−１０１２ＭＣ、φ＝５０ｍｍを用いて行った。また、通気性の測定は、ＪＩＳ  Ｌ  １０９６  通気性Ａ法（フラジール形法）により行った。
【００２４】
実施例１，２のマットに形成されているポケットに前記保冷パックを収納して実施例１，２の保冷マットとした。実施例１，２の保冷マットを、外気温３０℃の日に室内にセットしたベッドの布団上に、裏地を布団側として載置し、その状態でルームエアコンを２５℃にセットして２時間放置した後にルームエアコンの電源を切り、その後に被験者が保冷マット上に横たわって、使用感を確かめる確認テストを行った。その結果、保冷マットにより心地よい冷感を数時間感じることができた。その際、保冷パック内の蓄冷剤に偏りがなく、使用感が良好であった。
【００２５】
また、実施例１，２の保冷マットから保冷パックを取り出し、家庭用冷蔵庫の冷凍室で２時間冷却した。その後に冷蔵庫から保冷パックを取り出しでマットのポケットに収納し、前記と同様にベッドの布団上に載置して使用感を確かめる確認テストを行った。その結果、保冷マットにより心地よい冷感を、さらに長い時間感じることができた。しかも、保冷パックは硬くなく、しかも蓄冷剤の偏りがなく、使用感が良好なものであった。
【符号の説明】
【００２６】
１０  保冷マット
１１  マット
１３  表地
１５  裏地
１７  ポケット
３１  保冷パック
３３  樹脂フィルムの袋
３５  蓄冷剤
【図１】
2010268875.tif 000003
【図２】
2010268875.tif 000004
【図３】
2010268875.tif 000005